(57)【要約】【課題】軽量でしかも低コストで製造可能なストラップ巻取り器を提供する。【解決手段】一対の支持板１とこれらを連結する連結部材２を備える。巻取りシャフト３が一対の支持板を貫通してのび、支持板に対し軸まわりに回転可能に支持される。巻取りシャフトの支持間にのびる部分にスリット４が形成される。ストラップの中間部がスリットに挿通され、巻取りシャフトを横切ってのびる。ストラップの先端にフックが固定され、基端は墜落防止用安全帯に連結される。巻取りシャフトの１方向への回転により、巻取りシャフトに対してストラップの基端側部分と先端側部分がそれぞれ等量巻き取られる。渦巻バネ５が巻取りシャフトの支持板外側に突出する部分を取り巻き、その内側端が巻取りシャフトに固定され、その外側端が支持板に固定され、巻取りシャフトを巻取り方向に弾性付勢する。支持板の外面にカバー部材６が取り付けられる。【選択図】図１
0003195375.tif 000002
【実用新案登録請求の範囲】
【請求項１】
墜落防止用安全帯に備えられるストラップ巻取り器であって、
間隔をあけて対向する一対の支持板と、
前記一対の支持板を連結する少なくとも１つの連結部材と、を備え、前記一対の支持板間にはストラップ収納スペースが形成されており、さらに、
前記一対の支持板を貫通してこれらに対し垂直にのび、前記一対の支持板に対し軸まわりに回転可能に支持された巻取りシャフトを備え、前記巻取りシャフトにおける前記一対の支持板間にのびる部分には、前記巻取りシャフトを直径方向に貫通しかつ前記巻取りシャフトの軸方向にのびるスリットが形成され、前記ストラップの中間部が前記スリットに挿通されて、前記巻取りシャフトを横切る方向に前記ストラップ収納スペースを貫通してのび、前記ストラップの先端にフックが固定され、前記ストラップの基端は前記墜落防止用安全帯に連結され、前記巻取りシャフトが１方向に回転するとき、前記巻取りシャフトに対して前記ストラップの基端側部分と先端側部分がそれぞれ等量巻き取られるようになっており、さらに、
前記巻取りシャフトにおける前記一対の支持板のうちの少なくとも一方の支持板の外側に突出する部分を取り巻き、内側端が前記巻取りシャフトに固定される一方、外側端が関係する前記支持板に固定され、前記巻取りシャフトを前記１方向に回転させるべく弾性付勢する渦巻バネと、
前記支持板の外面に取り付けられて、前記渦巻バネを前記巻取りシャフトの前記突出部分とともに被覆するカバー部材と、を備えたものであることを特徴とするストラップ巻取り器。
【請求項２】
前記渦巻バネの前記外側端が前記カバー部材に固定されていることを特徴とする請求項１に記載のストラップ巻取り器。
【請求項３】
２本の棒状の前記連結部材が、それぞれ、前記巻取りシャフトの直径方向に前記巻取りシャフトから等距離隔てた位置において、前記一対の支持板に対して垂直にのびていることを特徴とする請求項１または請求項２に記載のストラップ巻取り器。
【請求項４】
前記ストラップの基端には、前記墜落防止用安全帯のＤ環に連結するためのフックが固定されていることを特徴とする請求項１〜請求項３のいずれかに記載のストラップ巻取り器。
【考案の詳細な説明】
【技術分野】
【０００１】
本考案は、墜落防止用安全帯に備えられるストラップ巻取り器に関するものである。
【背景技術】
【０００２】
墜落防止用安全帯には、胴ベルト型とハーネス型の２種類のものがあり、いずれも、命綱として、先端にフックを有するストラップを備えている。このストラップは、胴ベルト型安全帯の場合には胴ベルトのＤ環に、またハーネス型安全帯の場合には作業者背側の肩掛けベルトの交差部のＤ環にそれぞれ連結されたストラップ巻取り器に巻き取られるようになっている。そして、安全帯が作業者に装着され、ストラップ先端のフックが適当な固定物に係止されることにより、高所作業現場において万一作業者が墜落した場合に、作業者の安全が確保されるようになっている。
【０００３】
この種のストラップ巻取り器は、例えば、特許文献１、２に記載のように、間隔をあけて対向する一対の側板、およびこれらの側板同士を連結する連結部材からなる実質上コ字状またはロ字状断面を有するフレームと、フレームの内側空間内に配置され、一対の側板間に取り付けられて回転軸のまわりに回転可能とされたストラップ巻取りドラムを備えている。
【０００４】
そして、ストラップ巻取りドラムにストラップの基端が固定されるとともにストラップが巻装され、ストラップ巻取りドラムは渦巻バネによって常時ストラップ巻取り方向に弾性付勢されている。さらに、ストラップの先端にはフックが取り付けられ、フレームには、ストラップ巻取り器を安全帯のＤ環に連結するための連結金具が設けられている。
【０００５】
こうして、ストラップ巻取り器が安全帯のＤ環に連結された状態で、安全帯が作業者に装着され、ストラップ先端のフックが固定物に係止される。そして、万一作業者が墜落した場合は、作業者が落下するとともにストラップがストラップ巻取り器から高速で引き出され、ストラップが完全に引き出された時点で、作業者はストラップを介して固定物に吊下げ状態に支持される。
【０００６】
ところで、この従来のストラップ巻取り器においては、ストラップの基端がストラップ巻取り器（ストラップ巻取りドラム）に固定され、ストラップ巻取り器はストラップと胴ベルトまたはハーネスとの連結部を構成するので、作業者が固定物に吊下げ状態となったときに、大きな衝撃力がストラップ巻取り器に及ぼされる。
【０００７】
したがって、従来のストラップ巻取り器は、この衝撃力に耐えうる構造強度を有していなければならず、そのため、かなりの重量があって、安全帯を装着する作業者の負担になっており、また、製造コストも高くついていた。
【０００８】
さらに、ハーネス型安全帯の場合には、作業者背側の肩掛けベルトの交差部にストラップ巻取り器が吊下げ状態に連結されるので、作業者がストラップ巻取り器を取り扱いにくいという問題、また、安全帯の不使用時に、肩掛けベルトの作業者胸元の係止具に連結されたフックとストラップ巻取り器間に緊張状態でのびるストラップ部分が、作業者の脇の下付近を通り、作業者に不快感を与えるという問題があった。
【先行技術文献】
【特許文献】
【０００９】
【特許文献１】実用新案登録第３１３８８７８号公報
【特許文献２】実用新案登録第３１４５０９６号公報
【考案の概要】
【考案が解決しようとする課題】
【００１０】
したがって、本考案の課題は、軽量でしかも低コストで製造可能なストラップ巻取り器を提供することにある。
本考案の別の課題は、ハーネス型安全帯の場合に、作業者が取り扱いやすい位置に装備可能で、しかも快適に装着できるストラップ巻取り器を提供することにある。
【課題を解決するための手段】
【００１１】
上記課題を解決するため、墜落防止用安全帯に備えられるストラップ巻取り器であって、間隔をあけて対向する一対の支持板と、前記一対の支持板を連結する少なくとも１つの連結部材と、を備え、前記一対の支持板間にはストラップ収納スペースが形成されており、さらに、前記一対の支持板を貫通してこれらに対し垂直にのび、前記一対の支持板に対し軸まわりに回転可能に支持された巻取りシャフトを備え、前記巻取りシャフトにおける前記一対の支持板間にのびる部分には、前記巻取りシャフトを直径方向に貫通しかつ前記巻取りシャフトの軸方向にのびるスリットが形成され、前記ストラップの中間部が前記スリットに挿通されて、前記巻取りシャフトを横切る方向に前記ストラップ収納スペースを貫通してのび、前記ストラップの先端にフックが固定され、前記ストラップの基端は前記墜落防止用安全帯に連結され、前記巻取りシャフトが１方向に回転するとき、前記巻取りシャフトに対して前記ストラップの基端側部分と先端側部分がそれぞれ等量巻き取られるようになっており、さらに、前記巻取りシャフトにおける前記一対の支持板のうちの少なくとも一方の支持板の外側に突出する部分を取り巻き、内側端が前記巻取りシャフトに固定される一方、外側端が関係する前記支持板に固定され、前記巻取りシャフトを前記１方向に回転させるべく弾性付勢する渦巻バネと、前記支持板の外面に取り付けられて、前記渦巻バネを前記巻取りシャフトの前記突出部分とともに被覆するカバー部材と、を備えたものであることを特徴とするストラップ巻取り器としたものである。
【００１２】
上記構成において、前記渦巻バネの前記外側端が前記カバー部材に固定されていてもよい。
また、２本の棒状の前記連結部材が、それぞれ、前記巻取りシャフトの直径方向に前記巻取りシャフトから等距離隔てた位置において、前記一対の支持板に対して垂直にのびていてもよい。
また、前記ストラップの基端には、前記墜落防止用安全帯のＤ環に連結するためのフックが固定されていてもよい。
【考案の効果】
【００１３】
本考案によれば、ストラップ巻取り器は、ストラップの中間部に位置してストラップの巻き取りだけを行い、作業者（安全帯）と固定物との連結に一切寄与しない。そして、作業者（安全帯）と固定物との連結はストラップのみによってなされる。
そして、万一作業者が墜落したときは、ストラップがストラップ巻き取り器から完全に引き出された時点で、作業者がストラップを介して固定物に吊下げ状態に支持されるが、ストラップ巻取り器はそのスリットを介してストラップに挿通されているだけなので、このときの衝撃力はストラップ巻取り器には殆ど及ぼされない。
【００１４】
したがって、ストラップ巻取り器には従来のような構造強度は要求されない。よって、ストラップ巻取り器を、従来のものよりも格段に軽量化および低コスト化することができ、作業者の負担も大幅に軽減できる。
【００１５】
さらに、ストラップをストラップ巻取り器から完全に引き出した状態で、ストラップ巻取り器をストラップに沿ってスライドさせることで、ストラップ巻取り器のストラップ上の位置を容易に変更することができる。それによって、例えば、ハーネス型安全帯の場合に、ストラップの基端は作業者背側の肩掛けベルトの交差部に連結する一方、ストラップ巻取り器を、肩掛けベルトの交差部から一定距離離れた、作業者による取り扱いが容易な位置に配置することができ、さらには、安全帯の不使用時に、肩掛けベルトの作業者胸元の係止具に連結されたフックと作業者背側の肩掛けベルトの交差部との間にのびるストラップ部分を適度に弛ませることができ、作業者に不快感を与えない。
【図面の簡単な説明】
【００１６】
【図１】（Ａ）は本考案の１実施例による墜落防止用安全帯のストラップ巻取り器の一部破断斜視図であり、（Ｂ）は同ストラップ巻取り器の分解斜視図である。
【図２】図１のストラップ巻取り器の動作状態を説明する平面図であり、（Ａ）はストラップが完全に巻き取られた状態を示し、（Ｂ）はストラップが完全に引き出された状態を示している。
【図３】図１のストラップ巻取り器の断面図であり、（Ａ）はストラップが完全に巻き取られた状態を示し、（Ｂ）はストラップが完全に引き出された状態を示している。
【図４】図１のストラップ巻取り器を備えた墜落防止用安全帯（ハーネス型安全帯）の不使用時の写真であり、（Ａ）は作業者の背面を撮影した写真であり、（Ｂ）は作業者の側面を撮影した写真である。
【考案を実施するための形態】
【００１７】
以下、添付図面を参照して本考案の好ましい実施例を説明する。
図１（Ａ）は本考案の１実施例による墜落防止用安全帯のストラップ巻取り器の一部破断斜視図であり、図１（Ｂ）は同ストラップ巻取り器の分解斜視図である。また、図２は、図１のストラップ巻取り器の動作状態を説明する平面図であり、（Ａ）はストラップが完全に巻き取られた状態を示し、（Ｂ）はストラップが完全に引き出された状態を示している。図３は、図１のストラップ巻取り器の断面図であり、（Ａ）はストラップが完全に巻き取られた状態を示し、（Ｂ）はストラップが完全に引き出された状態を示している。また、図４は、図１のストラップ巻取り器を備えた墜落防止用安全帯（ハーネス型安全帯）の不使用時の写真であり、（Ａ）は作業者の背面を撮影した写真であり、（Ｂ）は作業者の側面を撮影した写真である。
【００１８】
図１に示すように、本考案による墜落防止用安全帯のストラップ巻取り器は、間隔をあけて対向する一対の支持板１と、これらの支持板１を連結する２本の棒状の連結部材２を備えている。
支持板１は、この実施例では、各隅角部が丸味を帯びたひし形の形状を有している。そして、２本の連結部材２は、各支持板１における中心から長軸方向に等間隔をあけた位置に取り付けられている。
【００１９】
また、各支持板１の中央に円形開口１ａが設けられ、一対の支持板１間にはストラップ収納スペース１ｂが形成されている。
なお、支持板１および連結部材２の構成はこの実施例に限定されず、間隔をあけて対向する一対の支持板と、一対の支持板を連結する少なくとも１つの連結部材が備えられ、一対の支持板間にストラップ収納スペースが形成されておれば、どのような構成であってもよい。
【００２０】
一対の支持板１の円形開口１ａには、巻取りシャフト３が挿通されている。巻取りシャフト３は、一対の支持板１を貫通してこれらに対し垂直にのび、軸まわりに回転可能になっている。
巻取りシャフト３における一対の支持板１間にのびる部分には、巻取りシャフト３を直径方向に貫通しかつ巻取りシャフト３の軸方向にのびるスリット４が形成されている。
【００２１】
さらに、渦巻バネ５が、巻取りシャフト３における一対の支持板１の外側に突出する部分３ａのそれぞれの外周を取り巻いて配置されている。そして、渦巻バネ５の内側端５ａが巻取りシャフト３の突出する部分３ａに固定される一方、渦巻バネ５の外側端５ｂは、支持板１に固定される。
【００２２】
各支持板１の外面には、渦巻バネ５を巻取りシャフト３の突出する部分３ａとともに被覆する平底鍋状のカバー部材６が、ネジ７によって取り付けられている。
この実施例では、カバー部材６の内面外周に渦巻バネ５の外側端を嵌め込み固定するためのバネ固定部６ａが設けられており、渦巻バネ５の外側端５ｂが、バネ固定部６ａに固定されることで、支持板１に固定されるようになっている。
【００２３】
こうして、巻取りシャフト３は、その両端を、渦巻バネ３およびカバー部材６を介して一対の支持板１に支持されて、軸まわりに回転可能とされるともに、渦巻バネ３によって１方向に回転すべく弾性付勢される。
【００２４】
なお、巻取りシャフト３の一対の支持板１への取付け構造はこの実施例に限定されず、巻取りシャフトが、一対の支持板を貫通してこれらに対し垂直にのび、一対の支持板に対し軸まわりに回転可能に支持されるようになっておれば、どのような構造であってもよく、例えば、巻取りシャフト３が軸受を介して一対の支持板に取り付けられていてもよい。また、渦巻バネは、少なくとも一方の支持板に配置されておればよい。
【００２５】
さらに、図３Ｂに示すように、巻取りシャフト３のスリット４には、ストラップ８の中間部８ａが挿通され、ストラップ８は、巻取りシャフト３を横切る方向に、２つの連結部材２間を縫うようにして、ストラップ収納スペース１ｂを貫通してのびている。
【００２６】
また、図２に示すように、ストラップ８の先端８ｂには、適当な固定物（図示されない）に係止するための第１のフック９が固定され、ストラップ８の基端８ｃには、墜落防止用安全帯１１のＤ環１２（図４参照）に連結するための第２のフック１０が固定されている。
【００２７】
そして、図３Ｂに示した状態（ストラップ８が完全に引き出された状態、図２Ｂ参照）から、巻取りシャフト３が、上記１方向（渦巻バネ５による弾性付勢の方向）に回転することによって、図３Ａに示すように、巻取りシャフト３に対してストラップ８の基端側部分と先端側部分がそれぞれ等量巻き取られる（ストラップ８が完全に巻き取られた状態、図２Ａ参照）。
【００２８】
こうして、高所作業現場における作業時には、図２Ａに示すように本考案のストラップ巻取り器がストラップ８の中間部に位置した状態で、図４に示すように、ストラップ８の第２のフック１０が、作業者に装着された墜落防止用安全帯１１（この例では、ハーネス型安全帯）のＤ環１２に係止される一方、ストラップ８の第１のフック９が適当な固定物（図示されない）に係止される。
【００２９】
作業中は、作業者の固定物からの移動距離に応じて、ストラップ８がストラップ巻取り器から引き出され、またストラップ巻取り器に巻き取られ、ストラップ８は常時固定物および作業者間でピンと張った状態にある。
そして、万一作業者が墜落したときは、ストラップ８がストラップ巻き取り器から完全に引き出された時点で、作業者がストラップ８を介して固定物に吊下げ状態に支持される。
【００３０】
このとき、本考案によれば、作業者と固定物との連結はストラップ８のみによってなされ、ストラップ巻取り器はそのスリット４を介してストラップ８に挿通されているだけで、作業者と固定物との連結に一切寄与しないので、墜落による衝撃力はストラップ巻取り器には殆ど及ぼされない。
【００３１】
したがって、本考案のストラップ巻取り器には従来のような構造強度は要求されない。よって、ストラップ巻取り器を、従来のものよりも格段に軽量化および低コスト化することができ、作業者の負担も大幅に軽減できる。
【００３２】
また、本考案によれば、ストラップ８をストラップ巻取り器から完全に引き出した状態で（図３Ｂ参照）、ストラップ巻取り器をストラップ８に沿ってスライドさせることで、ストラップ巻取り器のストラップ８上の位置を容易に変更することができる。
よって、例えば、ハーネス型安全帯の場合に、ストラップ巻取り器を、作業者背側の肩掛けベルトの交差部のＤ環１２から離れた作業者による取り扱いが容易な位置に配置することができ、さらには、図４に示すように、ハーネス型安全帯１１の不使用時に、ストラップ８の、肩掛けベルトの作業者胸元の係止具１３に連結されたフック９と作業者背側の肩掛けベルト交差部のＤ環１２との間にのびる部分を適度に弛ませることができ、よって作業者に不快感を与えることがない。
【符号の説明】
【００３３】
１  支持板
１ａ  円形開口
１ｂ  ストラップ収納スペース
２  連結部材
３  巻取りシャフト
３ａ  支持板の外側に突出する部分
４  スリット
５  渦巻バネ
５ａ  内側端
５ｂ  外側端
６  カバー部材
６ａ  バネ固定部
７  ネジ
８  ストラップ
８ａ  中間部
８ｂ  先端
８ｃ  基端
９  第１のフック
１０  第２のフック
１１  墜落防止用安全帯（ハーネス型安全帯）
１２  Ｄ環
１３  係止具
【図１】
0003195375.tif 000003
【図２】
0003195375.tif 000004
【図３】
0003195375.tif 000005
【図４】
0003195375.tif 000006